(57)【要約】【課題】空調用空気の配管の手間がかからないとともに、空気流通路を容易に変更できるフロア装置を提供する。【解決手段】フロアプレート上に設置したフロアマット12は、マット本体13の裏側に、フロアプレートに密着する複数のリブ15を格子状に一体成形している。マット本体13には、空調装置本体から吐出した空調用空気の供給を受ける空気供給口部16と、この空気供給口部16からマット本体13内に供給した空調用空気をマット本体13の外部に吹出す前窓用吹出口部17，18と、ドア窓用吹出口部19とを設ける。空気供給口部16と、前窓用吹出口部17，18およびドア窓用吹出口部19との間に位置する格子状のリブ15に、Ｕ形の溝21を切欠成形して、マット本体13と下側のフロアプレートとの間に複数の空気流通路22，23，24を形成する。【選択図】図１
2009292354.tif 000002
【特許請求の範囲】
【請求項１】
キャブのフロアプレートと、
このフロアプレート上に着脱自在に設置されたフロアマットとを備え、
フロアマットは、
マット本体と、
このマット本体の裏側に格子状に設けられてフロアプレートに密着する複数のリブと、
これらのリブを切欠成形してマット本体と下側のフロアプレートとの間に形成された空気流通路と、
この空気流通路に供給された空調用空気をマット本体の外部に吹出す空気吹出口部と
を具備したことを特徴とするフロア装置。
【請求項２】
空気吹出口部は、
キャブのフロアプレート前側上に位置する前窓の下部窓ガラスに対して空調用空気を供給する前窓用吹出口部
を具備したことを特徴とする請求項１記載のフロア装置。
【請求項３】
空気吹出口部は、
キャブのフロアプレート一側上に位置するドアの下部窓ガラスに対して空調用空気を供給するドア窓用吹出口部
を具備したことを特徴とする請求項１記載のフロア装置。
【請求項４】
空気吹出口部は、
キャブのフロアプレート前側上に位置する前窓の下部窓ガラスに対して空調用空気を供給する前窓用吹出口部と、
キャブのフロアプレート一側上に位置するドアの下部窓ガラスに対して空調用空気を供給するドア窓用吹出口部と
を具備したことを特徴とする請求項１記載のフロア装置。
【発明の詳細な説明】
【技術分野】
【０００１】
本発明は、フロアマットを備えたフロア装置に関する。
【背景技術】
【０００２】
図７に示されるように建設機械１は、機体２の一側上にキャブ３が搭載され、機体２の中央側に作業装置４が設けられ、この作業装置４に対しキャブ３の反対側の昇降口にはドア５が開閉自在に取付けられている。
【０００３】
図８に示されるように、キャブ３の内部には、運転席６から見て右前隅位置に、空調用空気を吹出させるためのデフロスタ７が設置されている。このデフロスタ７は、空調用空気を運転席６側、前方および右方へ吹出させ、運転席６のオペレータ、前窓８および右窓９の窓ガラスに当てることができ、オペレータの暖房などとともに、前窓８および右窓９の窓ガラスの曇りを除去している。
【０００４】
このように、デフロスタ７は、キャブ３内の右前隅位置に立設されて、その空調用空気吹出口から空調用空気を供給するので、前窓８の下部窓ガラス8g、特に左側の下部領域およびドア５の下部窓ガラス5gには空調用空気が当たりにくい。
【０００５】
このため、冬場などの寒い時期に、デフロスタ７と反対側に位置する前窓８の下部窓ガラス8gおよびドア５の下部窓ガラス5gに曇りが生じやすいが、寒い地域などでは、ドア５や窓を開けて曇りを除去することが容易でなく、曇りがとれるまで時間がかかっている。
【０００６】
一方、建設機械のキャブフロアの床下に設けた配管により、前窓下部のデフロスタに温風を供給するもの（例えば、特許文献１参照）、フロアマットの下面側に特定形状の凹部を成形して、この凹部とフロアプレートとにより空気流通路を形成したものがある（例えば、特許文献２参照）。
【特許文献１】特開２００１−３３９３号公報（第３頁、図１−２）
【特許文献２】特開２００７−１６８５２５号公報（第６−７頁、図５−６）
【発明の開示】
【発明が解決しようとする課題】
【０００７】
特許文献１の床下に配管を設けたものは、配管の手間がかかり、また、特許文献２のフロアマットに特定形状の凹部を成形したものは、配管の手間はかからないが、空気流通路を容易に変更できず、機種変更などに対応しにくい。
【０００８】
本発明は、このような点に鑑みなされたもので、空調用空気の配管の手間がかからないとともに、空気流通路を容易に変更できるフロア装置を提供することを目的とする。
【課題を解決するための手段】
【０００９】
請求項１に記載された発明は、キャブのフロアプレートと、このフロアプレート上に着脱自在に設置されたフロアマットとを備え、フロアマットは、マット本体と、このマット本体の裏側に格子状に設けられてフロアプレートに密着する複数のリブと、これらのリブを切欠成形してマット本体と下側のフロアプレートとの間に形成された空気流通路と、この空気流通路に供給された空調用空気をマット本体の外部に吹出す空気吹出口部とを具備したフロア装置である。
【００１０】
請求項２に記載された発明は、請求項１記載のフロア装置における空気吹出口部が、キャブのフロアプレート前側上に位置する前窓の下部窓ガラスに対して空調用空気を供給する前窓用吹出口部を具備したものである。
【００１１】
請求項３に記載された発明は、請求項１記載のフロア装置における空気吹出口部が、キャブのフロアプレート一側上に位置するドアの下部窓ガラスに対して空調用空気を供給するドア窓用吹出口部を具備したものである。
【００１２】
請求項４に記載された発明は、請求項１記載のフロア装置における空気吹出口部が、キャブのフロアプレート前側上に位置する前窓の下部窓ガラスに対して空調用空気を供給する前窓用吹出口部と、キャブのフロアプレート一側上に位置するドアの下部窓ガラスに対して空調用空気を供給するドア窓用吹出口部とを具備したものである。
【発明の効果】
【００１３】
請求項１に記載された発明によれば、キャブのフロアプレートとフロアマットとの間に空調用空気の空気流通路を形成する際に、マット本体の裏側に格子状に設けられてフロアプレートに密着する複数のリブを切欠成形して、マット本体と下側のフロアプレートとの間に空気流通路を形成したので、空調用空気の配管の手間がかからないとともに、リブの切欠成形箇所を変えるのみで空気流通路を容易に他のものに変更でき、機種変更などに容易に対応できる。
【００１４】
請求項２に記載された発明によれば、キャブのフロアプレート前側上に位置する前窓の下部窓ガラスに対してマット本体の前窓用吹出口部から空調用空気を供給して、前窓の下部窓ガラスの曇りを除去できる。
【００１５】
請求項３に記載された発明によれば、キャブのフロアプレート一側上に位置するドアの下部窓ガラスに対してマット本体のドア窓用吹出口部から空調用空気を供給して、ドアの下部窓ガラスの曇りを除去できる。
【００１６】
請求項４に記載された発明によれば、キャブのフロアプレート前側上に位置する前窓の下部窓ガラスに対してマット本体の前窓用吹出口部から空調用空気を供給して、前窓の下部窓ガラスの曇りを除去できるとともに、キャブのフロアプレート一側上に位置するドアの下部窓ガラスに対してマット本体のドア窓用吹出口部から空調用空気を供給して、ドアの下部窓ガラスの曇りを除去できる。
【発明を実施するための最良の形態】
【００１７】
以下、本発明を、図１乃至図３に示された一実施の形態、図４乃至図６に示された変形例を参照しながら詳細に説明する。なお、図７および図８は、本発明の前提となる参考図として参照する。
【００１８】
図７に示される建設機械１のキャブ３内の床面には、図３に示されるようにフロアプレート11上にフロアマット12が着脱自在に設置されている。キャブ３内の床面にはボルトなどが突出しているので、フロアマット12を敷いて、オペレータを保護している。
【００１９】
このフロアマット12は、マット本体13の上面に、図２に示されるような滑り止め用模様14などが形成され、マット本体13の裏側に、図３に示されるようにフロアプレート11に密着する複数のリブ15が、図１に示されるように格子状に一体成形されている。
【００２０】
図１および図２に示されるように、マット本体13には、空調装置本体から吐出された空調用空気の供給を受ける空気供給口部16が設けられ、また、この空気供給口部16からマット本体13内に供給された空調用空気をマット本体13の外部に吹出す空気吹出口部としての一対の前窓用吹出口部17，18と、空気吹出口部としてのドア窓用吹出口部19とが設けられている。
【００２１】
前窓用吹出口部17，18は、図８に示されるようにキャブ３のフロアプレート前側上に位置する前窓８の下部窓ガラス8gに対して空調用空気を供給する空気吹出口部であり、ドア窓用吹出口部19は、図８に示されるようにキャブ３のフロアプレート一側上に位置するドア５の下部窓ガラス5gに対して空調用空気を供給する空気吹出口部である。これらの前窓用吹出口部17，18およびドア窓用吹出口部19は、図２に示されるように外側に向かって斜め上方に開口されている。
【００２２】
そして、空気供給口部16と、前窓用吹出口部17，18およびドア窓用吹出口部19との間に位置する格子状のリブ15に、図３に示されるようにＵ形の溝21が切欠成形により形成されて、図１に示されるようにマット本体13と下側のフロアプレート11との間に複数の空気流通路22，23，24が形成されている。
【００２３】
これらの空気流通路22，23，24は、図１に示されるように空気供給口部16から前窓用吹出口部17，18にわたって形成された前窓用の空気流通路22の途中から、ドア窓用吹出口部19にわたって形成されたドア窓用の空気流通路23が分岐されて形成され、さらに、前窓用の空気流通路22は、一方の前窓用吹出口部17を経て前端の空気流通路24により他方の前窓用吹出口部18に連通されている。
【００２４】
図１および図２に示されるように、マット本体13の前側中央部には穴25が成形されており、この穴25は、図８に示された走行ペダル26と嵌合される。
【００２５】
なお、キャブ３のフロアプレート11に穴を開け、この穴に空調装置本体の吹出口を接続して、フロアマット12の下側からマット本体13の内部に空気を直接取入れることも可能であるから、マット本体13の側面に開口された空気供給口部16は、必ずしも設置しなくても良い。
【００２６】
次に、この実施の形態の作用を説明する。
【００２７】
建設機械１の始動時には、この建設機械１を移動(走行)させるので、前窓８の下部窓ガラス8gおよびドア５の下部窓ガラス5gを通して下方の視界を確保する必要があり、始動時ほど、これらの下部窓ガラス8gおよび下部窓ガラス5gの曇りを早く取る必要がある。
【００２８】
そこで、フロアマット12の格子状のリブ15を切欠成形して形成した空気流通路22，23，24を用いて、空調装置本体からマット本体13内に導入した温風などを曇りやすい部分に当てる。
【００２９】
特に、空調装置本体からマット本体13の空気供給口部16を経て、空気流通路22に供給された空調用空気を、マット本体13の前窓用吹出口部17，18から前窓８の下部窓ガラス8gに吹付けて、この下部窓ガラス8gの曇りを除去するとともに、空気流通路23に供給された空調用空気を、マット本体13のドア窓用吹出口部19からドア５の下部窓ガラス5gに吹付けて、この下部窓ガラス5gの曇りを除去する。
【００３０】
次に、このダクト構造のフロアマット12を設置することにより得られる効果を説明する。
【００３１】
キャブ３のフロアプレート11とフロアマット12との間に空調用空気の空気流通路22，23，24を形成する際に、マット本体13の裏側に格子状に設けられてフロアプレート11に密着する複数のリブ15を切欠成形して、マット本体13と下側のフロアプレート11との間に空気流通路22，23，24を形成したので、空調用空気の配管の手間がかからないとともに、リブ15の切欠成形箇所を変えるのみで空気流通路22，23，24を容易に他のものに変更でき、機種変更などに容易に対応できる。
【００３２】
要するに、機種によって前窓用吹出口部17，18やドア窓用吹出口部19の位置が変化する場合は、空気流通路22，23，24を形成するための溝21の切欠成形位置を変化させるのみで容易に対応できる。
【００３３】
また、キャブ３のフロアプレート前側上に位置する前窓８の下部窓ガラス8gに対してマット本体13の前窓用吹出口部17，18から空調用空気を供給して、前窓８の下部窓ガラス8gの曇りを除去できるとともに、キャブ３のフロアプレート一側上に位置するドア５の下部窓ガラス5gに対してマット本体13のドア窓用吹出口部19から空調用空気を供給して、ドア５の下部窓ガラス5gの曇りを除去できる。
【００３４】
要するに、デフロスタ７の空調用空気吹出口から遠い窓ガラスに、効率的に空調装置本体から供給された空気を当てることができ、窓ガラスの曇りを早期に除去することができる。
【００３５】
また、既存のフロアマット12にダクト構造を加工するだけのため、部品点数は既存のままで良い。
【００３６】
さらに、空気流通路22，23，24が土砂などで汚れた場合は、フロアマット12をフロアプレート11から外して、車両の外部で清掃することで、メンテナンスを簡単にできる。
【００３７】
フロアマット12のデッドスペースを利用しているため、室内空間に影響を与えず、さらに、構造がシンプルなため壊れにくい。
【００３８】
なお、上記の実施の形態では、フロアマット12の空気吹出口部として、キャブ３のフロアプレート前側上に位置する前窓８の下部窓ガラス8gに対して空調用空気を供給する前窓用吹出口部17，18と、キャブ３のフロアプレート一側上に位置するドア５の下部窓ガラス5gに対して空調用空気を供給するドア窓用吹出口部19とを、同時に併せて設置したが、キャブ構造や、デフロスタ７の形態などに応じて、ドア窓用吹出口部19を廃止して前窓用吹出口部17，18のみを設置したフロアマット（図示せず）を用いても良いし、前窓用吹出口部17，18を廃止してドア窓用吹出口部19のみを設置したフロアマット（図示せず）を用いても良し、ドア窓用吹出口部19の有無にかかわらず２つの前窓用吹出口部17，18の一方のみを設置したフロアマット（図示せず）を用いても良い。
【００３９】
そして、前窓８の下部窓ガラス8gの曇りのみを除去したい場合は、前窓用吹出口部17，18のみが開口されたフロアマット（図示せず）に交換することで、前窓８の下部窓ガラス8gのみに対して空調用空気を供給し、また、ドア５の下部窓ガラス5gの曇りのみを除去したい場合は、ドア窓用吹出口部19のみが開口されたフロアマット（図示せず）に交換することで、ドア５の下部窓ガラス5gのみに対して空調用空気を供給する。この場合、空調装置は、必要最少限の空調用空気流量により環境に配慮した省エネルギ運転が可能となる。
【００４０】
次に、図４乃至図６を参照しながら空気流通路22，23の変形例を説明する。
【００４１】
図４は、格子状のリブ15に４角形の溝21aを切欠成形して空気流通路22，23を形成した変形例を示し、図５は、格子状のリブ15に３角形の溝21bを切欠成形して空気流通路22，23を形成した変形例を示し、図６は、格子状のリブ15に円形の孔21cを切欠成形して空気流通路22，23を形成した変形例を示す。
【００４２】
本発明は、キャブに設けられたフロア装置に利用可能である。
【図面の簡単な説明】
【００４３】
【図１】本発明に係るフロア装置の一実施の形態を示すフロアマット裏面図である。
【図２】同上フロア装置のフロアマット表面図である。
【図３】同上フロア装置の拡大断面図である。
【図４】同上フロア装置の第１変形例を示す断面図である。
【図５】同上フロア装置の第２変形例を示す断面図である。
【図６】同上フロア装置の第３変形例を示す断面図である。
【図７】同上フロア装置を備えた建設機械の斜視図である。
【図８】同上建設機械のキャブ内の斜視図である。
【符号の説明】
【００４４】
３    キャブ
5g    ドアの下部窓ガラス
8g    前窓の下部窓ガラス
11    フロアプレート
12    フロアマット
13    マット本体
15    リブ
17，18    空気吹出口部としての前窓用吹出口部
19    空気吹出口部としてのドア窓用吹出口部
22，23，24    空気流通路
【図１】
2009292354.tif 000003
【図２】
2009292354.tif 000004
【図３】
2009292354.tif 000005
【図４】
2009292354.tif 000006
【図５】
2009292354.tif 000007
【図６】
2009292354.tif 000008
【図７】
2009292354.tif 000009
【図８】
2009292354.tif 000010